(57)【要約】【課題】貼付対象となるサンプル画像が多い場合でも、その中から所望のサンプル画像を容易に選択でき、選択したサンプル画像を所望の領域に貼り付けて文書等を作成する。【解決手段】画像貼付装置１０に、所定領域に貼り付ける対象となる複数の貼付画像２１が印刷された画像カタログ２０の中から選択された貼付画像を認識する画像認識手段１１と、認識された貼付画像を前記所定領域に貼り付ける画像貼付手段と備える。【選択図】        図１
2004259221.tif 000002
【特許請求の範囲】
【請求項１】
所定領域に貼り付ける対象となる複数の貼付画像が印刷された画像カタログの中から選択された貼付画像を認識する画像認識手段と、
認識された貼付画像を前記所定領域に貼り付ける画像貼付手段と、
を含む画像貼付装置。
【請求項２】
所定領域に貼り付ける対象となる複数の貼付画像が印刷された画像カタログであって、貼付画像ごとに関連づけられた画像識別子を含む画像カタログの中から選択された貼付画像を画像識別子に基づいて認識する画像認識手段と、
前記画像カタログに印刷された貼付画像にそれぞれ対応した画像データを記憶する記憶手段と、
認識された貼付画像に対応した画像データを記憶手段から取得し、所定領域に貼り付ける画像貼付手段とを含む画像貼付装置。
【請求項３】
請求項２に記載の画像貼付装置において、
前記画像識別子は、貼付画像に埋め込まれていることを特徴とする画像貼付装置。
【請求項４】
請求項１乃至３のいずれか一つに記載の画像貼付装置において、
前記貼付画像を貼り付ける候補となる複数の貼付領域を含む領域プレートの中から選択された貼付領域を認識する領域認識手段を含み、
前記画像貼付手段は、選択された貼付領域に、同じく選択された貼付画像を貼り付けることを特徴とする画像貼付装置。
【請求項５】
請求項４に記載の画像貼付装置において、
前記領域プレートには、貼付領域ごとに関連づけられた領域識別子を含み、
前記領域認識手段は、選択された貼付領域に関連づけられた領域識別子を認識することで選択された貼付領域を認識する手段であることを特徴とする画像貼付装置。
【請求項６】
請求項５に記載の画像貼付装置において、
前記領域識別子は、貼付領域に埋め込まれていることを特徴とする画像貼付装置。
【請求項７】
請求項１乃至６のいずれか一つに記載の画像貼付装置において、
前記画像カタログには、各貼付画像を印刷した際の印刷条件を示す印刷識別子が含まれていて、
前記画像認識手段は、選択された貼付画像に対応した前記印刷識別子を認識する手段を備え、
認識した印刷識別子に基づいて、選択された貼付画像が貼り付けられた領域プレートを印刷する印刷手段を備えることを特徴とする画像貼付装置。
【請求項８】
所定領域に貼り付ける対象となる複数の貼付画像が印刷された画像カタログであって、貼付画像ごとに関連づけられた画像識別子を含む画像カタログの中から選択された貼付画像を画像識別子に基づいて認識する画像認識工程と、
予め記憶された貼付画像にそれぞれ対応する画像データから、認識された貼付画像に対応する画像データを取得し、取得した画像データを所定領域に貼り付ける画像貼付工程と、
を含む画像貼付方法。
【請求項９】
請求項８に記載の画像貼付方法において、
前記貼付画像を貼り付ける候補となる複数の貼付領域を含む領域プレートの中から選択された貼付領域を認識する領域認識工程と、
を含み、
前記画像貼付工程は、選択された貼付領域に、同じく選択された貼付画像を貼り付ける工程であることを特徴とする画像貼付方法。
【請求項１０】
請求項９に記載の画像貼付方法において、
前記領域認識工程は、前記領域プレートに含まれる貼付領域ごとにそれぞれ関連づけられた領域識別子の中から、選択された貼付領域に対応する領域識別子を認識することで選択された貼付領域を認識する工程であることを特徴とする画像貼付方法。
【請求項１１】
請求項８乃至１０のいずれか一つに記載の画像貼付方法において、
前記画像カタログには、各貼付画像を印刷した際の印刷条件を示す印刷識別子が含まれていて、
前記画像認識工程は、選択された貼付画像に対応した前記印刷識別子を認識する工程を含み、
認識した印刷識別子に基づいて、選択された貼付画像が貼り付けられた領域プレートを印刷する印刷工程を含むことを特徴とする画像貼付方法。
【発明の詳細な説明】
【０００１】
【発明の属する技術分野】
本発明は、画像貼付装置、特に予め用意されたサンプル画像を所定の貼付領域に貼り付ける画像貼付装置に関する。
【０００２】
【従来の技術】
従来の技術のおいて、装置（コンピュータ）のディスプレイ上で、予め用意されたサンプル画像の中から所望のサンプル画像を選択して、選択したサンプル画像を文書に貼り付けて、所望の文書を作成する装置が存在する。
【０００３】
例えば、スーパーマーケットやコンビニエンスストアでは、商品の販売促進を図るために、販売促進用広告を作成する装置を利用することがある。この装置を利用するユーザは、装置に備えられた記憶装置、もしくは他の記憶媒体（ＣＤ−ＲＯＭ等）に記憶された複数の商品サンプル画像から所望の商品サンプル画像を選び所望の領域に画像を貼り付けることで広告イメージの作成を行う。そして、ユーザは、作成した広告イメージをプリンタ等で紙出力することで広告を作成する。
【０００４】
通常、ユーザは、図１１に示すように、装置のディスプレイ１上に、商品サンプル画像のリスト２と、画像を貼り付ける側の広告レイアウトを示したテンプレート３とを同時に表示して、ディスプレイ上で広告イメージの作成を行う。
【０００５】
【特許文献１】
特開平７−１６８８７２号公報
【０００６】
【発明が解決しようとする課題】
上述したように、従来の装置において、広告作成に必要な情報をすべてディスプレイ上に表示して作業を行う場合、ディスプレイ上に表示できるスペースは限られているため、多くの貼付対象画像を一覧でディスプレイ上に表示して作業することは難しく、プルダウンメニューなどを利用して、そこから所望の商品を選ぶように構成している。
【０００７】
しかしながら、このようにプルダウンメニューなどを利用して、そこから所望の商品を選ぶ場合、数多くの貼付対象となる商品の中から所望の商品を選び出し、広告を作成するという作業は、非常に手間がかかるという問題がある。
【０００８】
本発明は、上記事情を鑑みてなされたものであり、例え貼付対象となるサンプル画像が多い場合でも、その中から所望のサンプル画像を容易に選択でき、選択したサンプル画像を所望の領域に貼り付けて、文書等を作成することが容易にできる画像貼付装置を提供することを目的の一つとする。
【０００９】
【課題を解決するための手段】
本発明にかかる画像貼付装置は、所定領域に貼り付ける対象となる複数の貼付画像が印刷された画像カタログの中から選択された貼付画像を認識する画像認識手段と、認識された貼付画像を前記所定領域に貼り付ける画像貼付手段とを含む。
【００１０】
本発明によれば、貼付画像を印刷した画像カタログで選択した貼付画像を画像認識手段で認識して、画像貼付手段にて、認識した貼付画像を所定の領域に貼り付けることができる。
【００１１】
よって、従来のように、ディスプレイ上に貼り付け対象となる貼付画像を表示し選択しなくても、貼付画像を印刷した画像カタログから貼付画像を選び、画像認識手段にて画像カタログからその貼付画像を認識させるだけで、所定の貼付領域に貼付画像を貼り付けることができるため、数多くの貼付対象となる商品等の画像の中から所望の画像を選び出し、文書等を作成することが効率よく行える。
【００１２】
本発明にかかる画像貼付装置の一つの態様によれば、所定領域に貼り付ける対象となる複数の貼付画像が印刷された画像カタログであって、貼付画像ごとに関連づけられた画像識別子を含む画像カタログの中から選択された貼付画像を画像識別子に基づいて認識する画像認識手段と、前記画像カタログに印刷された貼付画像にそれぞれ対応した画像データを記憶する記憶手段と、認識された貼付画像に対応した画像データを記憶手段から取得し、所定領域に貼り付ける画像貼付手段とを含む。
【００１３】
本発明では、画像認識手段が、選択された貼付画像を認識する際に、貼付画像ごとに関連づけられた画像識別子を利用する。そして、画像認識手段にて、選択された貼付画像に関連づけられた画像識別子を認識することで選択された貼付画像を認識し、画像貼付手段にて、認識された貼付画像に対応した画像データを記憶手段から取得し、所定領域に貼り付ける。
【００１４】
よって、貼付画像を印刷した画像カタログから貼付画像を選び、画像認識手段にて画像カタログからその貼付画像を画像識別子に基づいて認識させるだけで、所定の貼付領域に貼付画像を貼り付けることができるため、数多くの貼付対象となる商品等の画像の中から所望の画像を選び出し、文書等を作成することが効率よく行える。
【００１５】
本発明にかかる画像貼付装置の一つの態様によれば、前記画像識別子は、貼付画像に埋め込まれている。
【００１６】
本発明によれば、貼付画像に直接画像識別子が埋め込まれているため、貼付画像との対応付けが容易であり、画像識別子用に特別な領域が不要なため、より多くの貼付画像をカタログの１ページに印刷することができる。
【００１７】
本発明にかかる画像貼付装置の一つの態様によれば、前記貼付画像を貼り付ける候補となる複数の貼付領域を含む領域プレートの中から選択された貼付領域を認識する領域認識手段を含み、前記画像貼付手段は、選択された貼付領域に、同じく選択された貼付画像を貼り付ける。
【００１８】
本発明によれば、貼付画像を貼り付ける候補となる貼付領域がレイアウトされた領域プレートから選択された所望の貼付領域に貼付画像を貼り付けることができる。
【００１９】
本発明にかかる画像貼付装置の一つの態様によれば、前記領域プレートには、貼付領域ごとに関連づけられた領域識別子を含み、前記領域認識手段は、選択された貼付領域に関連づけられた領域識別子を認識することで選択された貼付領域を認識する手段である。
【００２０】
本発明によれば、領域認識手段が、選択された貼付領域を認識する際に、貼付領域ごとに関連づけられた領域識別子を利用する。
【００２１】
本発明にかかる画像貼付装置の一つの態様によれば、前記領域識別子は、貼付領域に埋め込まれている。
【００２２】
本発明によれば、貼付領域に直接、領域識別子が埋め込まれているため、貼付領域との対応付けが容易である。さらに、領域識別子用に特別な領域が不要なため、領域識別子の領域を考慮することなく、領域プレートにおける貼付領域のレイアウトをすることが可能である。
【００２３】
本発明にかかる画像貼付装置の一つの態様によれば、前記画像カタログには、各貼付画像を印刷した際の印刷条件を示す印刷識別子が含まれていて、前記画像認識手段は、選択された貼付画像に対応した前記印刷識別子を認識する手段を備え、認識した印刷識別子に基づいて、選択された貼付画像が貼り付けられた領域プレートを印刷する印刷手段を備えることを特徴とする。
【００２４】
本発明によれば、印刷手段が貼付画像を印刷した際の印刷条件を示す印刷識別子をもとに、選択された貼付画像を貼り付けた領域プレートを印刷する。よって、例えば、画像カタログに貼付画像を印刷したプリンタと異なるプリンタで、選択された貼付画像が貼り付けられた領域プレートを印刷する場合でも、貼付画像を印刷した際の印刷条件をもとに印刷できるため、画像カタログでの貼付画像の色調と、領域プレートに貼り付けられた貼付画像を印刷した際の色調との誤差を少なくすることができる。
【００２５】
本発明にかかる画像貼付方法は、所定領域に貼り付ける対象となる複数の貼付画像が印刷された画像カタログであって、貼付画像ごとに関連づけられた画像識別子を含む画像カタログの中から選択された貼付画像を画像識別子に基づいて認識する画像認識工程と、予め記憶された貼付画像にそれぞれ対応する画像データから、認識された貼付画像に対応する画像データを取得し、取得した画像データを所定領域に貼り付ける画像貼付工程とを含む。
【００２６】
本発明によれば、一覧性に富む紙等に貼付画像を印刷した画像カタログで選択した貼付画像を画像認識工程で認識して、画像貼付工程にて、認識した貼付画像を所定の領域に貼り付けることができる。
【００２７】
よって、従来のように、ディスプレイ上に貼り付け対象となる貼付画像を表示し選択しなくても、貼付画像を印刷した画像カタログから貼付画像を選び、画像認識手段にて画像カタログからその貼付画像に対応した領域識別子を認識させるだけで、所定の貼付領域に貼付画像を貼り付けることができるため、数多くの貼付対象となる商品等の画像の中から所望の画像を選び出し、文書等を作成することが効率よく行える。
【００２８】
本発明にかかる画像貼付方法の一つの態様によれば、前記貼付画像を貼り付ける候補となる複数の貼付領域を含む領域プレートの中から選択された貼付領域を認識する領域認識工程とを含み、前記画像貼付工程は、選択された貼付領域に、同じく選択された貼付画像を貼り付ける工程である。
【００２９】
本発明によれば、貼付画像を貼り付ける候補となる貼付領域がレイアウトされた領域プレートから選択された所望の貼付領域に貼付画像を貼り付けることができる。
【００３０】
本発明に係る画像貼付方法の一つの態様によれば、前記領域認識工程は、前記領域プレートに含まれる貼付領域ごとにそれぞれ関連づけられた領域識別子の中から、選択された貼付領域に対応する領域識別子を認識することで選択された貼付領域を認識する工程である。
【００３１】
本発明によれば、領域認識工程が、選択された貼付領域を認識する際に、貼付領域ごとに関連づけられた領域識別子を利用する。
【００３２】
本発明に係る画像貼付方法の一つの態様によれば、前記画像カタログには、各貼付画像を印刷した際の印刷条件を示す印刷識別子が含まれていて、前記画像認識工程は、選択された貼付画像に対応した前記印刷識別子を認識する工程を含み、認識した印刷識別子に基づいて、選択された貼付画像が貼り付けられた領域プレートを印刷する印刷工程を含むことを特徴とする。
【００３３】
本発明によれば、貼付画像を印刷した際の印刷条件を示す印刷識別子をもとに印刷工程にて、選択された貼付画像が貼り付けられた領域プレートを印刷することができる。よって、例えば、画像カタログに貼付画像を印刷したプリンタと異なるプリンタで、選択された貼付画像が貼り付けられた領域プレートを印刷する場合でも、貼付画像を印刷した際の印刷条件をもとに印刷できるため、画像カタログでの貼付画像の色調と、領域プレートに貼り付けられた貼付画像を印刷した際の色調との誤差を少なくすることができる。
【００３４】
【発明の実施の形態】
［第一の実施の形態］
以下、本発明の第一の実施の形態（以下実施形態１という）を、図面に従って説明する。
【００３５】
図１は、実施形態１における画像貼付装置のシステム構成図である。画像カタログ２０には、作成する書面に使用されるサンプル画像２１が複数掲載されている。ユーザは、この画像カタログ２０から書面に貼り付けたいサンプル画像２１を選択する。画像貼付装置１０は、画像カタログ２０から選択されたサンプル画像２１（貼付画像）を認識して、認識したサンプル画像２１に対応した画像データを所定の貼付領域４０に貼り付ける。
【００３６】
ここで、作成する書面とは、例えば、スーパーマーケットの販売促進用広告であったり、ビジネス文書、年賀状等の手紙や葉書などであり、サンプル画像２１を貼り付けて作成する書面なら何でもよい。もちろん、パソコンのディスプレイ上等に表示するだけのドキュメントでも構わない。また、サンプル画像２１とは、販売促進用広告であれば、商品の画像であるし、年賀状であれば、干支や挨拶定型文などである。さらに、画像カタログは、サンプル画像２１を印刷可能なものであれば媒体は問わないが、好ましい媒体は、紙である。
【００３７】
図２は、画像貼付装置１０のブロック構成図であり、貼付画像認識部１１は、画像カタログ２０の中から選択されたサンプル画像２１を認識する。サンプル画像２１の認識の仕方は、例えば、サンプル画像２１ごとに関連づけられたバーコードやその他の特殊コードを用いた画像識別子２２を利用することができる。このバーコードやその他の特殊コードを貼付画像認識部１１が認識することで選択されたサンプル画像２１を特定できる。
【００３８】
特殊コードとしては、例えば、特開２００２−１３５５５６号公報などに開示されている技術であって、２値画像による情報埋め込み技術が挙げられる。この特殊コードは、文字の上に重ねて埋め込むことができる識別子の一種である。なお、サンプル画像２１に重ねて、識別子を埋め込む場合は、バーコードよりもこの特殊コードのほうが適している。
【００３９】
貼付画像認識部１１で認識された画像識別子２２をもとに、画像貼付部１２が、選択されたサンプル画像２１に対応した画像データを貼付画像記憶部１３から取り込み、所定の貼付領域４０に画像データを貼り付ける。そして、貼付領域に貼り付けた画像データを、表示部１４に表示する。表示された画像データを確認後、所望のサンプル画像２１が所定の貼付領域４０に貼り付けられたデータをプリンタ等で紙等に出力することで、所望のサンプル画像２１が貼り付けられた書面を作成することができる。
【００４０】
なお、実施形態１では、貼付画像記憶部１３を画像貼付装置１０に設けているが、必ずしも画像貼付装置１０に設ける必要はなく、情報管理センタに設置されたデータベースサーバ等に保存されている画像データを、インターネット等のネットワークを介して、画像貼付装置１０に取り込んでもよい。
【００４１】
続いて、図３の実施フロー図を用いて、実施形態１の実施フローを説明する。
【００４２】
まず、ユーザは、画像カタログの中から所望のサンプル画像２１を選択し（Ｓ１０１）、選択したサンプル画像２１に関連づけられた画像識別子２２を貼付画像認識部１１で読み込み認識させる（Ｓ１０２）。画像貼付部１２は、認識した画像識別子２２に対応する画像データを貼付画像記憶部１３から取り込み（Ｓ１０３）、所定の貼付領域４０に貼り付ける（Ｓ１０４）。
【００４３】
このように、貼り付け対象のサンプル画像２１をディスプレイ上に表示して、選択するのではなく、画像カタログなどの書面にすることで、一覧性が増し、貼付対象となるサンプル画像２１が多い場合でも、所望のサンプル画像２１を検索し、選択することが容易になる。また、ユーザは、画像カタログ上のサンプル画像２１を選択するだけで、所望の領域にサンプル画像２１を貼り付けることができるため、ユーザの操作も単純化できる。
【００４４】
さらに、従来はディスプレイ上で表示したサンプル画像２１の色調と、実際に紙出力した場合の色調との誤差が問題になる場合があった。しかし、本発明によれば、書面の印刷に使用するプリンタの機種性能（解像度等）や紙の質に応じたサンプル画像２１を画像カタログに印刷しておくことで、色調誤差による問題を防止することができる。色調誤差による問題を防止するために、プリントする時、画像カタログを出力したプリンタかもしくは出力したプリンタと同じ設定条件になっているプリンタなのかのチェックをおこなう。例えば、画像カタログに、画像識別子とともに、プリンタの印刷識別子またはプリンタの設定条件等の情報を入れ込んでおくことによってこのチェックはできる。画像識別子の中に印刷識別子の情報を含めてもよい。
【００４５】
また、プリンタ側に、印刷識別子の印刷条件（解像度、色調等）に基づいて印刷できる機能（印刷手段）を設けておき、そのプリンタにて、印刷識別子をもとに貼付画像が貼り付けられた領域プレートを紙等に出力することでも、画像カタログに印刷された貼付画像と、実際に紙出力された貼付画像との色調誤差による問題を防止することができる。
【００４６】
［第二の実施の形態］
以下、本発明の第二の実施の形態（以下実施形態２という）について、図面に従って説明する。実施形態２は、サンプル画像２１を貼り付けることができる貼付領域が複数存在し、いずれかを選択できる点で実施形態１と異なる。
【００４７】
この貼付領域をそれぞれレイアウトしたものを、ここでは、領域プレートと定義する。領域プレートは、図４（ａ）に示すように、それぞれの貼付領域が重ならないように配置してもよいし、図４（ｂ）に示すように、貼付領域を重ねて配置してもよい。いずれの領域プレートでも選択された貼付領域に、画像カタログから選択されたサンプル画像２１を貼り付けることで、所望の書面等を作成することができる。なお、図４（ｂ）のように貼付領域が重なっている場合に、続けて複数のサンプル画像２１を貼り付ける場合には、サンプル画像２１がすでに貼り付けられた貼付領域と重なる貼付領域は、選択できないように貼付画像装置で制御することでサンプル画像２１の重なりを防ぐことができる。
【００４８】
図５は、実施形態２におけるシステム構成図である。図６は、実施形態２における画像貼付装置１０のブロック構成図である。画像貼付装置１０は、実施形態１の各部に加えて、さらに、サンプル画像２１を貼り付けることができる貼付領域をそれぞれレイアウトした領域プレートを記憶するプレート記憶手段１５と、選択された貼付領域を認識する領域認識部１６を備える。そして、表示部１４に、プレート記憶手段１５に記憶された領域プレートを表示し、その中から、所望の貼付領域を選択する。さらに選択した貼付領域を領域認識部１６が認識して、認識した貼付領域に、実施形態１と同様に画像カタログ２０から選択されたサンプル画像２１を貼り付ける。
【００４９】
続いて、実施形態２における実施フローを図７を用いて説明する。まず、プレート記憶手段１５に記憶された領域プレートを表示部１４に表示する（Ｓ２０１）。そして、表示された領域プレートから所望の貼付領域を選択し（Ｓ２０２）、選択した貼付領域を領域認識部１６が認識する（Ｓ２０３）。また、画像カタログの中から所望のサンプル画像２１を選択し（Ｓ２０４）、貼付画像認識部１１が選択されたサンプル画像２１に関連づけられた画像識別子２２を読み取る（Ｓ２０５）。
【００５０】
続いて、画像貼付部１２が、読み取った画像識別子２２に対応した画像データを貼付画像記憶部１３から取り出し（Ｓ２０６）、選択した貼付領域に取り出した画像データを貼り付ける（Ｓ２０７）。表示部１４には、選択された領域に画像データが貼り付けられた領域プレートが表示される（Ｓ２０８）。表示された領域プレートを確認後、プリンタ等で紙出力することで所望の書面を作成することができる。
【００５１】
本発明によれば、ディスプレイ上には、作成したい書面のレイアウトのみ表示しておき、貼り付ける対象のサンプル画像２１は一覧性に富むカタログ等に納めておくことができるため、サンプル画像２１の数が大きい場合でも、サンプル画像２１の選択が容易になる。
【００５２】
［第三の実施の形態］
以下、本発明の第三の実施の形態（以下、実施形態３という）について、図面を参照して説明する。
【００５３】
実施形態３は、図８に示すように、サンプル画像２１を貼り付ける台紙となる領域プレートをディスプレイ上ではなく、紙面に表して、そこから貼付領域を選択する点で実施形態１，２と異なる。もちろん領域プレートは、紙面でなくても紙と同等の機能を有する媒体であれば何でもよい。
【００５４】
図９は、実施形態３における画像貼付装置１０のブロック構成図であり、領域認識部１６が、貼付画像認識部１１と同様に、領域プレートにレイアウトされた貼付領域ごとに関連づけられた領域識別子４１を読み取ることで、選択された貼付領域を認識する点が、実施形態１，２と異なる。
【００５５】
続いて、実施形態３の実施フローについて図１０を用いて説明する。まず、紙面上の領域プレートから所望の貼付領域を選択し（Ｓ３０１）、選択した貼付領域に関連づけられた領域識別子を領域認識部１６が読み取る（Ｓ３０２）。さらに、画像カタログの中から所望のサンプル画像２１を選択し（Ｓ３０３）、貼付画像認識部１１が選択されたサンプル画像２１に関連づけられた画像識別子２２を読み取る（Ｓ３０４）。
【００５６】
そして、画像貼付部１２が、読み取った画像識別子２２に対応した画像データを貼付画像記憶部１３から取り出し（Ｓ３０５）、選択した貼付領域に取り出した画像データを貼り付ける（Ｓ３０６）。表示部１４には、選択された領域に画像データが貼り付けられた領域プレートが表示される（Ｓ３０７）。表示された領域プレートを確認後、プリンタ等で紙出力することで所望の書面を作成することができる。
【００５７】
【発明の効果】
本発明によれば、貼付画像を印刷した画像カタログから貼付画像を選び、画像認識手段にて画像カタログからその貼付画像を認識させるだけで、所定の貼付領域に貼付画像を貼り付けることができるため、数多くの貼付対象となる商品等の画像の中から所望の画像を選び出し、文書等を作成することが効率よく行える。
【００５８】
また、ユーザは、画像カタログ上のサンプル画像を選択するだけで、所望の領域にサンプル画像を貼り付けることができるため、ユーザの操作も単純化できる。
【図面の簡単な説明】
【図１】実施形態１におけるシステム構成図である。
【図２】実施形態１における画像貼付装置のブロック構成図である。
【図３】実施形態１における実施フロー図である。
【図４】本発明の領域プレートの一例である。
【図５】実施形態２におけるシステム構成図である。
【図６】実施形態２における画像貼付装置のブロック構成図である。
【図７】実施形態２における実施フロー図である。
【図８】実施形態３におけるシステム構成図である。
【図９】実施形態３における画像貼付装置のブロック構成図である。
【図１０】実施形態３における実施フロー図である。
【図１１】従来の販売促進用広告作成装置である。
【符号の説明】
１  ディスプレイ、２  リスト、３  テンプレート、１０  画像貼付装置、１１  貼付画像認識部、１２  画像貼付部、１３  貼付画像記憶部、１４  表示部、１５  プレート記憶手段、１６  領域認識部、２０  画像カタログ、２１  サンプル画像、２２  画像識別子、３０  領域プレート、４０  貼付領域、４１  領域識別子。
【図１】
2004259221.tif 000003
【図２】
2004259221.tif 000004
【図３】
2004259221.tif 000005
【図４】
2004259221.tif 000006
【図５】
2004259221.tif 000007
【図６】
2004259221.tif 000008
【図７】
2004259221.tif 000009
【図８】
2004259221.tif 000010
【図９】
2004259221.tif 000011
【図１０】
2004259221.tif 000012
【図１１】
2004259221.tif 000013